(57)【要約】【課題】給湯リモコンから風呂リモコンに送話中に、給湯リモコンの送話スイッチの押下状態を誤って解除しても送話を途切れさせない給湯器の制御装置を実現する。【解決手段】インターホンＳＷ９ａ，ＳＷ９ｂが押された場合には（Ｓ１：ＹＥＳ）、インターホン機能が動作開始され（Ｓ３）、送話方向（音声伝達方向）を風呂リモコン１ａから給湯リモコン１ｂとし、給湯リモコン１ｂのインターホンＳＷ９ｂが押された場合には（Ｓ９：ＹＥＳ）、送話方向（音声伝達方向）を切り替えて、給湯リモコン１ｂから風呂リモコン１ａへの送話を可能にする（Ｓ１３）。給湯リモコン１ｂのインターホンＳＷ９ｂから手が離れてから、第１の所定時間Ｔ１内に再度、給湯リモコン１ｂのインターホンＳＷ９ｂが押された場合には（Ｓ２３：ＹＥＳ）、送話方向を切り替えずに維持する。【選択図】  図７
2004301399.tif 000002
【特許請求の範囲】
【請求項１】
浴室内に設けられ給湯器を遠隔操作する風呂リモコンと、当該浴室外に設けられ当該給湯器を遠隔操作する給湯リモコンとの間で、通話を行うインターホン機能を制御する給湯器の制御装置であって、
前記風呂リモコン及び前記給湯リモコンには、前記インターホン機能の作動の開始・終了を指示する作動スイッチが各々設けられ、
前記給湯リモコンには、当該給湯リモコンから前記風呂リモコンへ音声の伝達を指示する給湯送話スイッチが設けられ、
前記何れかの作動スイッチにより前記インターホン機能の作動開始が指示された場合には、前記風呂リモコンから前記給湯リモコンへ音声を伝達可能とし、前記給湯送話スイッチを押し続けている間及び前記給湯送話スイッチを離した後の第１の所定時間内は、当該給湯リモコンから前記風呂リモコンへ音声を伝達可能とする通話制御手段
を備えたことを特徴とする給湯器の制御装置。
【請求項２】
前記通話制御手段は、
前記作動スイッチが押下されたか否かを判断する作動スイッチ押下判断手段と、
前記給湯送話スイッチが押下されているか否かを判断する給湯送話スイッチ押下判断手段と、
当該作動スイッチ押下判断手段が前記作動スイッチが押下されたと判断した場合に、前記インターホン機能を動作させると共に前記風呂リモコンから前記給湯リモコンへ音声を伝達可能とする第１の通話方向制御手段と、
当該第１の通話方向制御手段により、前記風呂リモコンから前記給湯リモコンへ音声を伝達可能な前記インターホン機能が動作中に、前記給湯送話スイッチ押下判断手段が前記給湯送話スイッチが押下されていると判断した場合には、前記給湯リモコンから前記風呂リモコンへ音声を伝達可能に音声伝達方向を切り替える第２の通話方向制御手段と、
前記給湯送話スイッチ押下判断手段が前記給湯送話スイッチが押下されている状態から前記給湯送話スイッチが押下されない状態になったと判断した場合にも、前記第１の所定時間内は、当該給湯リモコンから前記風呂リモコンへ音声を伝達可能な状態に維持する通話維持手段とを備え、
当該通話維持手段が前記給湯リモコンから前記風呂リモコンへ音声を伝達可能な状態に維持している間に、前記給湯送話スイッチ押下判断手段が前記給湯送話スイッチが押下されていると判断した場合には、前記給湯リモコンから前記風呂リモコンへの音声の伝達状態を維持することを特徴とする請求項１に記載の給湯器の制御装置。
【請求項３】
前記給湯送話スイッチを前記作動スイッチと兼用し、
前記通話制御手段は、前記インターホン機能の作動中において、当該給湯送話スイッチに第２の所定時間より短い時間で押し離し操作がされた場合には前記インターホン機能を終了することを特徴とする請求項１又は２に記載の給湯器の制御装置。
【請求項４】
浴室内に設けられ給湯器を遠隔操作する風呂リモコンと、当該浴室外に設けられ当該給湯器を遠隔操作する給湯リモコンとの間で、通話を行うインターホン機能を制御する給湯器の制御装置であって、
前記風呂リモコン及び前記給湯リモコンには、前記インターホン機能の作動の開始・終了を指示する作動スイッチが各々設けられ、
前記給湯リモコンには、当該給湯リモコンから前記風呂リモコンへ音声の伝達を指示する給湯送話スイッチが設けられ、
前記何れかの作動スイッチにより前記インターホン機能の作動開始が指示された場合には、前記風呂リモコンから前記給湯リモコンへ音声を伝達可能とし、前記給湯送話スイッチが押された場合には、第３の所定時間内は、前記給湯リモコンから前記風呂リモコンへ音声を伝達可能とする通話制御手段
を備えたことを特徴とする給湯器の制御装置。
【請求項５】
前記通話制御手段は、
前記作動スイッチが押下されたか否かを判断する作動スイッチ押下判断手段と、
前記給湯送話スイッチが押下されているか否かを判断する給湯送話スイッチ押下判断手段と、
当該作動スイッチ押下判断手段が前記作動スイッチが押下されたと判断した場合に、前記インターホン機能を動作させると共に前記風呂リモコンから前記給湯リモコンへ音声を伝達可能とする第３の通話方向制御手段と、
当該第３の通話方向制御手段により、前記風呂リモコンから前記給湯リモコンへ音声を伝達可能な前記インターホン機能が動作中に、前記給湯送話スイッチ押下判断手段が前記給湯送話スイッチが押下されたと判断した場合には、前記第３の所定時間内は、前記給湯リモコンから前記風呂リモコンへ音声を伝達可能に音声伝達方向を切り替える第４の通話方向制御手段と
を備えたことを特徴とする請求項４に記載の給湯器の制御装置。
【請求項６】
前記給湯送話スイッチを前記作動スイッチと兼用し、
前記通話制御手段は、前記インターホン機能の作動中において、当該給湯送話スイッチに押し離し操作が繰り返された場合には前記インターホン機能を終了することを特徴とする請求項４又は５に記載の給湯器の制御装置。
【請求項７】
前記通話制御手段は、前記給湯送話スイッチが操作されない状態が第４の所定時間経過した場合には前記インターホン機能を自動的に終了することを特徴とする請求項１乃至６の何れかに記載の給湯器の制御装置。
【発明の詳細な説明】
【０００１】
【発明の属する技術分野】
本発明は、給湯器付風呂釜におけるリモコンを備えた給湯器の制御装置に関し、詳しくはリモコン間で通話可能なインターホン機能を付加した給湯器の制御装置に関する。
【０００２】
【従来の技術】
従来、給湯器付風呂釜では、台所やシャワー等への給湯および浴槽の湯張りを行う給湯回路と、浴槽水を強制的に循環加熱して追焚する風呂釜と、給湯回路および風呂釜を制御するメインコントローラとを備えたものが知られている（例えば、特許文献１参照）。この従来の給湯器付風呂釜では、メインコントローラに対して浴槽の湯温調節や風呂自動給湯等の指示を遠隔操作で行うリモコンが、浴室及び台所に各々設けられている。そして、台所に設置された給湯リモコンには、浴槽への湯張り，保温を行うための風呂自動スイッチ、水栓やシャワー等を給湯可能状態にする給湯スイッチ、給湯温度を設定する給湯温度設定スイッチ等の操作スイッチが配設されている。また、浴室に設置された風呂リモコンには、これらのスイッチに加えて、浴槽内の湯温を調整するための「あつめ」スイッチ、「ぬるめ」スイッチが配設されている。上記の各リモコンに設けられた上記各スイッチの操作によりメインコントローラを遠隔操作可能となっている。
【０００３】
また、上記の風呂リモコン及び給湯リモコンには、浴室の内外で通話可能なインターホン機能が付加されている。風呂リモコン及び給湯リモコンには、各々、マイク及びスピーカーが内蔵されると共に、インターホン機能を作動させるインターホンスイッチ（以下、「インターホンＳＷ」という。）が各々配設されている。そして、風呂リモコンのインターホンＳＷ９ａ又は給湯リモコンのインターホンＳＷ９ｂが押されると（図１５に示す時刻ｔ１）、給湯器付風呂釜のメインコントローラを介して風呂リモコン側から給湯リモコン側に音声が伝達可能となる。また、この状態で給湯リモコンのインターホンＳＷ９ｂが押されると（図１５に示す時刻ｔ２）、音声の伝達方向が、給湯リモコン側から風呂リモコン側に切り替わり、給湯リモコンのインターホンＳＷを押している間は（図１５に示す時刻ｔ２〜ｔ３）、給湯リモコン側から風呂リモコン側に音声を伝達可能となっている。そして、給湯リモコンのインターホンＳＷを離すと（図１５に示す時刻ｔ３）、音声伝達方向が、風呂リモコン側から給湯リモコン側に戻るようになっている。また、風呂リモコンのインターホンＳＷ９ａ又は給湯リモコンのインターホンＳＷ９ｂが短い時間で押し離しされる「短押し」がなされると（図１５に示す時刻ｔ４）、インターホン機能が終了する。
【０００４】
【特許文献１】
特開２００１−２０８４２２号公報
【０００５】
【発明が解決しようとする課題】
しかしながら、上記の風呂リモコン及び給湯リモコン間のインターホン機能では、給湯リモコン側から風呂リモコン側に音声を伝達中に、台所側にいる使用者が給湯リモコンのインターホンＳＷから誤って手を離してしまうことがあった（図１６に示す時刻ｔ３）。この場合には、給湯リモコン側から風呂リモコン側に音声で伝える内容がまだあるにも拘わらず、音声伝達方向が、直ちに、風呂リモコン側から給湯リモコン側に戻ってしまうことになる（図１６に示す時刻ｔ３〜ｔ４）。従って、再度、インターホンＳＷを押して（図１６に示す時刻ｔ４）、音声伝達方向を給湯リモコン側から風呂リモコン側に切り替える必要があった。この場合には、音声伝達方向が切り替わるまで、タイムラグが生じるので、図１６に示す時刻ｔ３からｔ４の間は、給湯リモコン側から風呂リモコン側への送話が途切れてしまうという問題点があった。
【０００６】
本発明は、上記課題を解決するためになされたものであり、給湯リモコンから風呂リモコンに送話中に、給湯リモコンの送話スイッチの押下状態を解除してしまっても所定時間は音声伝達方向を切り替えず、送話を途切れさせない給湯器の制御装置を実現することを第１の目的とする。また、給湯リモコンから風呂リモコンに送話中に、給湯リモコンの送話スイッチの押下状態を維持する必要が無く、送話を途切れさせない給湯器の制御装置を実現することを第２の目的とする。
【０００７】
【課題を解決するための手段】
上記課題を解決するために請求項１に記載の発明の給湯器の制御装置は、浴室内に設けられ給湯器を遠隔操作する風呂リモコンと、当該浴室外に設けられ当該給湯器を遠隔操作する給湯リモコンとの間で、通話を行うインターホン機能を制御する給湯器の制御装置であって、前記風呂リモコン及び前記給湯リモコンには、前記インターホン機能の作動の開始・終了を指示する作動スイッチが各々設けられ、前記給湯リモコンには、当該給湯リモコンから前記風呂リモコンへ音声の伝達を指示する給湯送話スイッチが設けられ、前記何れかの作動スイッチにより前記インターホン機能の作動開始が指示された場合には、前記風呂リモコンから前記給湯リモコンへ音声を伝達可能とし、前記給湯送話スイッチを押し続けている間及び前記給湯送話スイッチを離した後の第１の所定時間内は、当該給湯リモコンから前記風呂リモコンへ音声を伝達可能とする通話制御手段を備えている。
【０００８】
この構成の給湯器の制御装置では、浴室内に設けられた風呂リモコンの作動スイッチ又は浴室外に設けられた給湯リモコンの作動スイッチが操作されると、通話制御手段は、インターホン機能を作動させ、風呂リモコンから給湯リモコンへ音声を伝達可能とする。また、給湯送話スイッチを押すと給湯リモコンから風呂リモコンへ音声が伝達可能になり、給湯送話スイッチを押し続けている間は、その状態が維持される。そして、給湯送話スイッチを離した後の第１の所定時間内も、給湯リモコンから風呂リモコンへ音声が伝達可能な状態が維持される。従って、誤って給湯送話スイッチから手を離してしまっても、第１の所定時間内に給湯送話スイッチを押し直せば、給湯リモコンから風呂リモコンへ音声の伝達が途絶えることがない。
【０００９】
また、請求項２に記載の発明の給湯器の制御装置は、請求項１に記載の発明の構成に加えて、前記通話制御手段は、前記作動スイッチが押下されたか否かを判断する作動スイッチ押下判断手段と、前記給湯送話スイッチが押下されているか否かを判断する給湯送話スイッチ押下判断手段と、当該作動スイッチ押下判断手段が前記作動スイッチが押下されたと判断した場合に、前記インターホン機能を動作させると共に前記風呂リモコンから前記給湯リモコンへ音声を伝達可能とする第１の通話方向制御手段と、当該第１の通話方向制御手段により、前記風呂リモコンから前記給湯リモコンへ音声を伝達可能な前記インターホン機能が動作中に、前記給湯送話スイッチ押下判断手段が前記給湯送話スイッチが押下されていると判断した場合には、前記給湯リモコンから前記風呂リモコンへ音声を伝達可能に音声伝達方向を切り替える第２の通話方向制御手段と、前記給湯送話スイッチ押下判断手段が前記給湯送話スイッチが押下されている状態から前記給湯送話スイッチが押下されない状態になったと判断した場合にも、前記第１の所定時間内は、当該給湯リモコンから前記風呂リモコンへ音声を伝達可能な状態に維持する通話維持手段とを備え、当該通話維持手段が前記給湯リモコンから前記風呂リモコンへ音声を伝達可能な状態に維持している間に、前記給湯送話スイッチ押下判断手段が前記給湯送話スイッチが押下されていると判断した場合には、前記給湯リモコンから前記風呂リモコンへの音声の伝達状態を維持することを特徴とする。
【００１０】
この構成の給湯器の制御装置では、請求項１に記載の発明の作用に加えて、前記通話制御手段を構成する各手段は以下のように作用する。即ち、作動スイッチ押下判断手段が作動スイッチが押下されたと判断した場合に、第１の通話方向制御手段は、インターホン機能を動作させると共に風呂リモコンから給湯リモコンへ音声を伝達可能とする。第１の通話方向制御手段の制御により、風呂リモコンから給湯リモコンへ音声を伝達可能なインターホン機能が動作中に、給湯送話スイッチ押下判断手段が給湯送話スイッチが押下されていると判断した場合には、第２の通話方向制御手段は、給湯リモコンから風呂リモコンへ音声を伝達可能に音声伝達方向を切り替える。通話維持手段は、給湯送話スイッチ押下判断手段が給湯送話スイッチが押下されている状態から給湯送話スイッチが押下されない状態になったと判断した場合にも、第１の所定時間内は、給湯リモコンから風呂リモコンへ音声を伝達可能な状態に維持する。そして、通話維持手段が給湯リモコンから風呂リモコンへ音声を伝達可能な状態に維持している間に、給湯送話スイッチ押下判断手段が給湯送話スイッチが押下されていると判断した場合には、給湯リモコンから風呂リモコンへの音声の伝達状態を維持する。従って、誤って給湯送話スイッチから手を離してしまっても、第１の所定時間内に給湯送話スイッチを押し直せば、給湯リモコンから風呂リモコンへ音声の伝達が途絶えることがない。
【００１１】
また、請求項３に記載の発明の給湯器の制御装置は、請求項１又は２に記載の発明の構成に加えて、前記給湯送話スイッチを前記作動スイッチと兼用し、前記通話制御手段は、前記インターホン機能の作動中において、当該給湯送話スイッチに第２の所定時間より短い時間で押し離し操作がされた場合には前記インターホン機能を終了することを特徴とする。
【００１２】
この構成の給湯器の制御装置では、請求項１又は２に記載の発明の作用に加えて、通話制御手段は、インターホン機能の作動中において、作動スイッチと兼用されている給湯送話スイッチが第２の所定時間より短い間隔で押し離し操作（短押し）がされた場合にはインターホン機能を終了する。
【００１３】
また、請求項４に記載の発明の給湯器の制御装置は、浴室内に設けられ給湯器を遠隔操作する風呂リモコンと、当該浴室外に設けられ当該給湯器を遠隔操作する給湯リモコンとの間で、通話を行うインターホン機能を制御する給湯器の制御装置であって、前記風呂リモコン及び前記給湯リモコンには、前記インターホン機能の作動の開始・終了を指示する作動スイッチが各々設けられ、前記給湯リモコンには、当該給湯リモコンから前記風呂リモコンへ音声の伝達を指示する給湯送話スイッチが設けられ、前記何れかの作動スイッチにより前記インターホン機能の作動開始が指示された場合には、前記風呂リモコンから前記給湯リモコンへ音声を伝達可能とし、前記給湯送話スイッチが押された場合には、第３の所定時間内は、前記給湯リモコンから前記風呂リモコンへ音声を伝達可能とする通話制御手段を備えている。
【００１４】
この構成の給湯器の制御装置では、浴室内に設けられた風呂リモコンの作動スイッチ又は浴室外に設けられた給湯リモコンの作動スイッチが操作されると、通話制御手段は、インターホン機能を作動させ、風呂リモコンから給湯リモコンへ音声を伝達可能とする。また、給湯送話スイッチを押すと、第３の所定時間内は、給湯リモコンから風呂リモコンへ音声が伝達可能になる。
【００１５】
また、請求項５に記載の発明の給湯器の制御装置は、請求項４に記載の発明の構成に加えて、前記通話制御手段は、前記作動スイッチが押下されたか否かを判断する作動スイッチ押下判断手段と、前記給湯送話スイッチが押下されているか否かを判断する給湯送話スイッチ押下判断手段と、当該作動スイッチ押下判断手段が前記作動スイッチが押下されたと判断した場合に、前記インターホン機能を動作させると共に前記風呂リモコンから前記給湯リモコンへ音声を伝達可能とする第３の通話方向制御手段と、当該第３の通話方向制御手段により、前記風呂リモコンから前記給湯リモコンへ音声を伝達可能な前記インターホン機能が動作中に、前記給湯送話スイッチ押下判断手段が前記給湯送話スイッチが押下されたと判断した場合には、前記第３の所定時間内は、前記給湯リモコンから前記風呂リモコンへ音声を伝達可能に音声伝達方向を切り替える第４の通話方向制御手段とを備えている。
【００１６】
この構成の給湯器の制御装置では、請求項４に記載の発明の作用に加えて、前記通話制御手段を構成する各手段は以下のように作用する。即ち、作動スイッチ押下判断手段が作動スイッチが押下されたと判断した場合に、第３の通話方向制御手段は、インターホン機能を動作させると共に風呂リモコンから給湯リモコンへ音声を伝達可能とする。第３の通話方向制御手段の制御により、風呂リモコンから給湯リモコンへ音声を伝達可能なインターホン機能が動作中に、給湯送話スイッチ押下判断手段が給湯送話スイッチが押下されていると判断した場合には、第４の通話方向制御手段は、前記第３の所定時間内は、給湯リモコンから風呂リモコンへ音声を伝達可能に音声伝達方向を切り替える。
【００１７】
また、請求項６に記載の発明の給湯器の制御装置は、請求項４又は５に記載の発明の構成に加えて、前記給湯送話スイッチを前記作動スイッチと兼用し、前記通話制御手段は、前記インターホン機能の作動中において、当該給湯送話スイッチに押し離し操作が繰り返された場合には前記インターホン機能を終了することを特徴とする。
【００１８】
この構成の給湯器の制御装置では、請求項４又は５に記載の発明の作用に加えて、通話制御手段は、インターホン機能の作動中において、作動スイッチと兼用されている給湯送話スイッチに押し離し操作が繰り返された場合には前記インターホン機能を終了する。
【００１９】
また、請求項７に記載の発明の給湯器の制御装置は、請求項１乃至６の何れかに記載の発明の構成に加え、前記通話制御手段は、前記給湯送話スイッチが操作されない状態が第４の所定時間経過した場合には前記インターホン機能を自動的に終了することを特徴とする。
【００２０】
この構成の給湯器の制御装置では、請求項１乃至６の何れかに記載の発明の作用に加えて、通話制御手段は、給湯送話スイッチが操作されない状態が第４の所定時間経過した（長時間操作がなかった）場合にはインターホン機能を自動的に終了する。
【００２１】
【発明の実施の形態】
［第１の実施の形態］以下、本発明の第１の実施の形態の給湯器の制御装置として、風呂リモコン及び給湯リモコンを各１台備え、給湯器付風呂釜を制御するメインコントローラを例に図面を参照して説明する。図１は、給湯器の制御装置であるメインコントローラを含む給湯器付風呂釜のシステムを示すブロック図であり、図２は、インターホン機能を構成する部分のブロック図である。尚、図２では、インターホン機能以外の部分は省略している。図１に示すように、給湯器付風呂釜６０は、給湯栓６５やシャワー６６等への給湯および浴槽６４の湯張りを行う給湯回路６２と、浴槽６４内の水を強制的に循環加熱して追焚する追焚回路６３と、給湯回路６２および追焚回路６３をマイコン７２（図３参照）により制御するメインコントローラ６１とを備えている。また、給湯器付風呂釜６０を遠隔制御するために、浴室には風呂リモコン１ａが、台所には給湯リモコン１ｂが設けられている。この風呂リモコン１ａ及び給湯リモコン１ｂは、図１及び図２に示すように、二線ケーブル２によってメインコントローラ６１と接続され、メインコントローラ６１から電源を供給されると共に、給湯制御に関わるデータ通信と各リモコン１ａ，１ｂ間のインターホン機能に関わる音声通信とを行う。
【００２２】
次に、図２を参照して、風呂リモコン１ａ及び給湯リモコン１ｂ間のインターホン機能について説明する。尚、図中では、各リモコン１ａ，１ｂにおいて同じ機能を持つものには、符号に同一の数字を用い、末尾に浴室側には符号ａを台所側には符号ｂを付して、説明上これらを総称する際には符号ａ，ｂを略して数字のみを用いる。図２に示すように、  風呂リモコン１ａ及び給湯リモコン１ｂは、各々、メインコントローラ６１に接続され、音声の伝達方向（送話方向）が、風呂リモコン１ａ側から給湯リモコン１ｂ側へ又は給湯リモコン１ｂ側から風呂リモコン１ａ側へと切り替えられるようになっている。
【００２３】
図２に示すように、インターホン機能の構成としては、浴室に設けられた風呂リモコン１ａには、音声が入力されるマイク７ａと、当該マイク７ａから出力される音声信号を増幅するマイクアンプ１７ａと、音声信号をＦＭ変調して二線ケーブル２に送り出す変調回路５ａと、二線ケーブル２から入力されるＦＭ信号を復調する復調回路６ａと、復調回路６ａで復調された音声信号を増幅するスピーカーアンプ１３ａと、音声を出力するスピーカー１４ａとが設けられている。また、台所に設けられた給湯リモコン１ｂには、音声が入力されるマイク７ｂと、当該マイク７ｂから出力される音声信号を増幅するマイクアンプ１７ｂと、音声信号をＦＭ変調して二線ケーブル２に送り出す変調回路５ｂと、二線ケーブル２から入力されるＦＭ信号を復調する復調回路６ｂと、復調回路６ｂで復調された音声信号を増幅するスピーカーアンプ１３ｂと、音声を出力するスピーカー１４ｂとが設けられている。
【００２４】
次に、図３を参照して、メインコントローラ６１の構成を説明する。図３は、メインコントローラ６１の電気的構成を示すブロック図である。図３に示すように、メインコントローラ６１には、メインコントローラ６１の主制御を司り、給湯等の各機能を制御するマイコン７２が設けられている。マイコン７２は、ＣＰＵ７２ａとＲＡＭ７２ｂとＲＯＭ７２ｃとを１チップに内蔵している。このマイコン７２には、後述する各回路とマイコン７２との間でデータの受け渡しを行うインターフェース回路７３が接続され、インターフェース回路７３には、図１に示す給湯回路６２を制御する給湯制御回路７５と、図１に示す追焚回路６３を制御する追焚制御回路７６と、制御信号データのＡＭ変調・復調を行うＡＭ変復調回路７７とが接続されている。また、データ用ＡＭ変復調回路７７には、搬送波発生回路７８が接続されている。尚、データ用ＡＭ変復調回路７７は、風呂リモコン１ａ及び給湯リモコン１ｂに接続される二線ケーブル２に各々接続されている。また、メインコントローラ６１には、商用電源を降圧する電源回路８０が設けられ、電源回路８０からの交流電源は、電源重畳回路７９により二線ケーブル２に重畳されるようになっている。
【００２５】
次に、図４を参照して、給湯リモコン１ｂの電気的構成を説明する。図４は、給湯リモコン１ｂの電気的構成を示すブロック図である。尚、給湯リモコン１ｂの機能部と風呂リモコン１ａの機能部とは、電気的に同一の構成である。従って、図４では数字末尾の符号ｂを省略して説明する。
【００２６】
図４に示すように、給湯リモコン１ｂには、給湯リモコン１ｂの主制御を司るマイコン３と、メインコントローラ６１との間でＡＭ変調波により制御データを送受信するデータ通信回路１８と、音声信号をＦＭ変調し送信する変調回路５と、音声信号を受信し復調する復調回路６と、設定温度を設定する操作スイッチ８と、インターホン機能の動作の開始の指示及びインターホン機能の動作中に給湯リモコン１ｂから会話を開始するためのインターホンＳＷ９と、温度表示等のためのＬＥＤディスプレイから構成された表示回路４４と、メインコントローラ６１から供給され、二線ケーブル２に重畳された電圧を整流するシリコンダイオードブリッジ１６と、その整流された電圧を定電圧化する定電圧回路１１と、その電圧を監視する電圧監視回路１２とを備えている。
【００２７】
変調回路５の入力側には、マイクユニットとしてマイクアンプ１７とマイク７とが設けられる。マイクアンプ１７は、コンデンサ１０を介して変調回路５と接続されて、マイク７から入力される音声信号を増幅し、変調回路５へ出力する。変調回路５は、所定の周波数の搬送波を変調（ここでは周波数変調（ＦＭ）方式が採用される）して送信するものである。一方、復調回路６は、他のリモコン１から送信されるＦＭ変調波を音声信号に復調するものである。
【００２８】
また、復調回路６の出力側には、スピーカーユニットとしてスピーカーアンプ１３とスピーカー１４とが設けられている。スピーカーアンプ１３は、コンデンサ１５を介して復調回路６と接続されて、復調回路６から出力された音声信号を増幅し、スピーカー１４から音声出力することを可能にしている。インターホン機能には、変調回路５、復調回路６、マイク７、マイクアンプ１７、スピーカー１４、スピーカーアンプ１３が用いられる。
【００２９】
次に、風呂リモコン１ａ及び給湯リモコン１ｂの機能部について図５及び図６を参照して説明する。図５は、風呂リモコン１ａの正面図であり、図６は、給湯リモコン１ｂの正面図である。
【００３０】
台所に設置される給湯リモコン１ｂには、図５に示すように、ケース２１ｂ上面に、風呂自動スイッチ４１ｂ，給湯スイッチ４２ｂ，ＬＥＤディスプレイから構成された表示部４４ｂ、スピーカー１４ｂ、インターホンＳＷ９ｂ、給湯温度のアップ・ダウンスイッチ４６ｂ，４５ｂが配設されると共に、ケース２１ｂの陥没部３２ｂに、マイク７ｂ，時刻を設定するための時スイッチ５１および分スイッチ５２、リモコンの時計を合わせる時刻合わせスイッチ５３、浴槽へ湯を張る予約時刻を設定する予約時刻スイッチ５４、予約するための予約スイッチ５６，予約したことを表示する予約ランプ５７が配設されている。尚、ケース蓋３３ｂにはマイク用孔３４が開口され、ケース蓋３３ｂが閉じてもマイク７ｂが覆われず良好に音を感知できるようにしている。  また、インターホンＳＷ９ｂ、給湯温度のアップ・ダウンスイッチ４６ｂ，４５ｂ等の各スイッチは、押すと導通してオン状態になるようになっており、離すとオフ状態になるようになっている。
【００３１】
一方、浴室に設置される風呂リモコン１ａは、図６に示すように、ケース２１ａ上面に、浴槽への湯張り及び保温を行うための風呂自動スイッチ４１ａ、水栓やシャワー等を給湯可能状態にする給湯スイッチ４２ａ、浴槽湯温を高くするための「あつめ」スイッチ４３、浴槽湯温や給湯温度等を表示するためにＬＥＤディスプレイから構成された表示部４４ａ、マイク７ａ、スピーカー１４ａ、インターホンＳＷ９ａが、それぞれ配設されると共に、ケース２１ａの陥没部３２ａに、給湯温度のアップ・ダウンスイッチ４６ａ，４５ａ、浴槽湯温や湯量を増減するアップ・ダウンスイッチ４８，４７、湯量設定する湯量スイッチ４９、浴槽に所定量の湯を追加する足し湯スイッチ５０、浴槽に所定量の水を追加する「ぬるめ」スイッチ５５がそれぞれ配設される。  これらのインターホンＳＷ９ａ、風呂自動スイッチ４１ａ、給湯スイッチ４２ａ、及び「あつめ」スイッチ４３等の各スイッチは、押すと導通してオン状態になるようになっており、離すとオフ状態になるようになっている。
【００３２】
風呂リモコン１ａのケース蓋３３ａは、通常、陥没部３２ａを覆って操作頻度の少ない各スイッチを隠すことで使い勝手を良くしている。また、運転を指示する各スイッチ９ａ，４１ａ，４２ａ，４３，５０，５５にはランプが各々設けられ、点灯により作動中であることを示す。尚、湯量設定時は、湯量スイッチ４９を押してアップ・ダウンスイッチ４８，４７を押すと設定湯量を増減することができ、また、浴槽湯温を設定する時は、湯量スイッチ４９を押さずにアップ・ダウンスイッチ４８，４７を押して行う。
【００３３】
尚、インターホンが作動中において、風呂リモコン１ａのインターホンＳＷ９ａは、送話方向が浴室から台所の時に点灯し、送話方向が台所から浴室の時に点滅するもので、一方、給湯リモコン１ｂのインターホンＳＷ９ｂは、浴室モニター時に点滅し、台所送話時に点灯するものである。つまり、送話可能リモコン１側が点灯し、受話リモコン１側が点滅する。
【００３４】
上述した構成の各リモコン１では、インターホン機能を利用する場合に、インターホンＳＷ９を押してマイク７に向かって話すと、マイク７からの音声信号が変調回路５で音声キャリアに変調されて他のリモコン１へ送信される。受話の場合には、送られてきた音声キャリアを復調回路６で音声信号に復調し、スピーカーアンプ１３で増幅してスピーカー１４から音声として出力される。
【００３５】
風呂リモコン１ａのインターホンＳＷ９ａ及び給湯リモコン１ｂのインターホンＳＷ９ｂは、押し操作によりインターホン機能の作動開始を指示し、再度の押し操作によりインターホン機能の作動を停止するもので、送話方向の表示も行う。尚、給湯リモコン１ｂのインターホンＳＷ９ｂは、更にその押し方（一回の押し操作における押し時間が所定時間より短い「短押し」か押し時間が所定時間より長い「長押し」か）により、インターホン機能の作動開始及びその終了と、送話方向の切替とを区別してメインコントローラ６１へ指示するものである。
【００３６】
次に、第１の実施の形態のインターホン通話制御処理について図７に示すフローチャートを参照して説明する。図７は、第１の実施の形態のインターホン通話制御ルーチンのフローチャートである。
【００３７】
先ず、給湯器付風呂釜６０に電源が供給されると、図７に示すインターホン通話制御ルーチンが起動し、風呂リモコン１ａのインターホンＳＷ９ａまたは給湯リモコン１ｂのインターホンＳＷ９ｂが押されてオン状態か否かを判断する（Ｓ１）。尚、給湯リモコン１ｂが複数設けられている場合には、メインコントローラ６１がその複数の給湯リモコン１ｂを順次ポーリングして、インターホンＳＷ９ｂの状態の信号を得るようになっている。インターホンＳＷ９ａ又はインターホンＳＷ９ｂが押されてオン状態でない場合には（Ｓ１：ＮＯ）、インターホンＳＷ９ａ又はインターホンＳＷ９ｂが押されてオン状態か否かの判断が繰り返し実施される（Ｓ１）。また、インターホンＳＷ９ａ又はインターホンＳＷ９ｂが押されてオン状態となった場合には（Ｓ１：ＹＥＳ）、インターホン機能が動作開始され（Ｓ３）、給湯リモコン１ｂのインターホンＳＷ９ｂが押されていない時間を計測するための無操作時間タイマＴａをリセットし、給湯リモコン１ｂのインターホンＳＷ９ｂが押されていない時間の計測をスタートする（Ｓ５）。
【００３８】
次いで、送話方向（音声伝達方向）を風呂リモコン１ａから給湯リモコン１ｂとして、風呂から台所への送話を可能にする（Ｓ７）。即ち、インターホン機能が開始された場合には、最初に送話方向を風呂リモコン１ａから給湯リモコン１ｂにして台所で浴室の状況をモニターできる状態にする。次に、給湯リモコン１ｂのインターホンＳＷ９ｂが押されてオン状態か否かを判断する（Ｓ９）。給湯リモコン１ｂのインターホンＳＷ９ｂが押されてオン状態になった場合には（Ｓ９：ＹＥＳ）、給湯リモコン１ｂのインターホンＳＷ９ｂが押されている時間を計測するためのインターホンＳＷ９ｂオン時間計測タイマＴｂをリセットし、給湯リモコン１ｂのインターホンＳＷ９ｂが押されている時間の計測をスタートする（Ｓ１１）。
【００３９】
次いで、送話方向（音声伝達方向）を給湯リモコン１ｂから風呂リモコン１ａとして、給湯リモコン１ｂから風呂リモコン１ａへの送話を可能にする（Ｓ１３）。即ち、台所から浴室へ送話のできる状態にして送話方向を設定する。次に、給湯リモコン１ｂのインターホンＳＷ９ｂが押されてオン状態か否かを判断し（Ｓ１５）、オン状態（押されている）と判断した場合（Ｓ１５：ＹＥＳ）、即ち、インターホンＳＷ９ｂが押されて続けている場合には、給湯リモコン１ｂから風呂リモコン１ａへの送話可能状態を維持する。尚、この場合には、給湯リモコン１ｂのインターホンＳＷ９ｂの状態変化が監視しされ続ける（Ｓ１５）。
【００４０】
ここで、給湯リモコン１ｂのインターホンＳＷ９ｂから手が離れてオフ状態になると（Ｓ１５：ＮＯ）、インターホンＳＷ９ｂオン時間計測タイマＴｂの計測時間が第２の所定時間Ｔ２（例えば、０．５秒間）未満か否かを判断する（Ｓ１７）、インターホンＳＷ９ｂオン時間計測タイマＴｂの計測時間が第２の所定時間Ｔ２未満の場合（Ｓ１７：ＹＥＳ）、即ち、給湯リモコン１ｂのインターホンＳＷ９ｂが「短押し」の場合には、使用者がインターホン機能の終了を指示しているので、インターホン機能を停止する（Ｓ３１）。その後、Ｓ１の判断処理に戻って、風呂リモコン１ａのインターホンＳＷ９ａまたは給湯リモコン１ｂのインターホンＳＷ９ｂが押されてオン状態になっているか否かを監視する（Ｓ１）。
【００４１】
また、インターホンＳＷ９ｂオン時間計測タイマＴｂの計測時間が第２の所定時間Ｔ２以上の場合（Ｓ１７：ＮＯ）、即ち、給湯リモコン１ｂのインターホンＳＷ９ｂが「短押し」でなく、第２の所定時間Ｔ２以上押されていて、離された「長押し」の場合には、送話方向を切り替えるのを遅延させる時間を計測するための遅延時間タイマＴｃをリセットして時間の計測をスタートする（Ｓ１９）。次いで、遅延時間タイマＴｃの計測時間が第１の所定時間Ｔ１（例えば、３秒間）以上になったか否かを判断する（Ｓ２１）。遅延時間タイマＴｃの計測時間が第１の所定時間Ｔ１（例えば、３秒間）未満の場合には（Ｓ２１：ＮＯ）、給湯リモコン１ｂのインターホンＳＷ９ｂが再度押されてオン状態となっているか否かを判断する（Ｓ２３）。
【００４２】
給湯リモコン１ｂのインターホンＳＷ９ｂから手が離されてから、第１の所定時間Ｔ１内に（Ｓ２１：ＮＯ）、再度、給湯リモコン１ｂのインターホンＳＷ９ｂが押されてオン状態の場合には（Ｓ２３：ＹＥＳ）、使用者は、給湯リモコン１ｂから風呂リモコン１ａへの送話可能状態（音声伝達状態）の維持を希望しているので、送話方向を切り替えずに維持して、インターホンＳＷ９ｂオン時間計測タイマＴｂをリセットし、Ｓ１５へ戻り、給湯リモコン１ｂのインターホンＳＷ９ｂの状態変化を監視し、上記の処理（Ｓ１５〜Ｓ２５）を繰り返す。従って、台所から浴室に送話中に誤って給湯リモコン１ｂのインターホンＳＷ９ｂから手を離してしまっても、第１の所定時間Ｔ１（例えば、３秒間）以内に直ちに押し直せば、送話状態が切り替わらずに送話を途絶えさせることなく、台所から浴室に送話し続けることができる。
【００４３】
また、給湯リモコン１ｂのインターホンＳＷ９ｂが再度押されずに（Ｓ２３：ＮＯ）、遅延時間タイマＴｃの計測時間が第１の所定時間Ｔ１以上となったときには（Ｓ２１：ＹＥＳ）、Ｓ５の判断処理に戻って、給湯リモコン１ｂのインターホンＳＷ９ｂが押されていない時間を計測するための無操作時間タイマＴａをリセットし、給湯リモコン１ｂのインターホンＳＷ９ｂが押されていない時間の計測をスタートし（Ｓ５）、次いで、送話方向を切り替えて、送話方向を風呂リモコン１ａから給湯リモコン１ｂとして、風呂から台所への送話を可能にする（Ｓ７）。即ち、給湯リモコン１ｂのインターホンＳＷ９ｂから手が離されてから、第１の所定時間Ｔ１（例えば、３秒間）以内に再度インターホンＳＷ９ｂが押されない場合には、風呂から台所への送話状態となる。
【００４４】
尚、給湯リモコン１ｂのインターホンＳＷ９ｂが押されずに（Ｓ９：ＮＯ）、無操作時間タイマＴａの計測時間が第４の所定時間Ｔ４（例えば、１時間）以上になった場合には（Ｓ２７：ＹＥＳ）、風呂から台所への送話状態継続中に給湯リモコン１ｂのインターホンＳＷ９ｂが押されない状態（Ｓ９：ＮＯ）が、長時間続いたので、インターホン機能が使われずに放置されていると考えられるので、インターホン機能を停止する（Ｓ３１）。
【００４５】
さらに、給湯リモコン１ｂのインターホンＳＷ９ｂが押されずに（Ｓ９：ＮＯ）、無操作時間タイマＴａの計測時間が第４の所定時間Ｔ４（例えば、１時間）未満の場合には（Ｓ２７：ＮＯ）、風呂リモコン１ａのインターホンＳＷ９ａが押されたか否かを判断する（Ｓ２９）。風呂リモコン１ａのインターホンＳＷ９ａが押された場合には（Ｓ２９：ＹＥＳ）、インターホン機能の終了が指示されたので、インターホン機能を停止する（Ｓ３１）。風呂リモコン１ａのインターホンＳＷ９ａが押されない場合には（Ｓ２９：ＮＯ）、風呂から台所への送話状態を維持して、Ｓ９の判断処理に戻って、給湯リモコン１ｂのインターホンＳＷ９ｂの状態を監視する（Ｓ９）。以下、上記同様の処理を繰り返す。
【００４６】
次に、上記の第１の実施の形態の風呂リモコン１ａ及び給湯リモコン１ｂ間のインターホン機能の通話制御動作の例について、図８乃至図１０に示すインターホン機能の動作を表すタイミングチャートを参照して説明する。但し、図中ではインターホンＳＷの押し時間等の時間は、見易いようにデフォルメされていて実際の時間と比例していない。
【００４７】
まず、図８に示すように、風呂リモコン１ａのインターホンＳＷ９ａまたは給湯リモコン１ｂのインターホンＳＷ９ｂが押されると（時刻ｔ１）、インターホン機能が作動し、送話方向が浴室→台所（風呂リモコン１ａ→給湯リモコン１ｂ）になる。従って、入浴者が台所にいる人に無操作でいつでも話し掛けることができると共に、台所にいる人が浴室の音を常時聞けるようにして浴室の音声をモニターすることができる。以下、この状態を浴室モニターと呼ぶ。この浴室モニターの作動中に、給湯リモコン１ｂのインターホンＳＷ９ｂが押されている間（時刻ｔ２〜ｔ３）は、送話方向を台所→浴室にし、台所にいる人が入浴者に話し掛けることができる。以下、この状態を台所送話と呼ぶ。
【００４８】
また、給湯リモコン１ｂのインターホンＳＷ９ｂが押されなくなっても（時刻ｔ３）、送話方向切り替えの遅延時間である第１の所定時間Ｔ１（例えば、３秒間）内は、送話方向が台所→浴室に維持される。そして、第１の所定時間Ｔ１内に、再度、給湯リモコン１ｂのインターホンＳＷ９ｂが押されないと、遅延時間である第１の所定時間Ｔ１が終了時（時刻ｔ４）に、送話方向は元の通常状態の浴室→台所に戻り、浴室モニター状態となり再び台所で浴室の音声をモニターすることができる。そして、再び、風呂リモコン１ａのインターホンＳＷ９ａまたは給湯リモコン１ｂのインターホンＳＷ９ｂが第２の所定時間Ｔ２（例えば、０．５秒）以内で押される「短押し」がなされると（時刻ｔ５）、インターホン機能の動作を終了する。
【００４９】
また、本実施の形態のインターホン機能では、図９に示すように、給湯リモコン１ｂのインターホンＳＷ９ｂから手が離れて押されなくなっても（時刻ｔ３）、送話方向が台所→浴室に維持される送話方向切り替えの遅延時間である第１の所定時間Ｔ１（例えば、３秒間）内に、再度、給湯リモコン１ｂのインターホンＳＷ９ｂが押された場合には（時刻ｔ４）、送話方向は、切り替えられずに台所→浴室に維持されたままとなる。従って、台所から浴室に送話中に、誤って給湯リモコン１ｂのインターホンＳＷ９ｂから手が離れてしまっても、第１の所定時間Ｔ１内に給湯リモコン１ｂのインターホンＳＷ９ｂを直ちに押し直せば、台所から浴室への送話が途切れることなく継続される。
【００５０】
そして、給湯リモコン１ｂのインターホンＳＷ９ｂから手が離れて押されない状態になった場合には（時刻ｔ５）、第１の所定時間Ｔ１内に、再度、給湯リモコン１ｂのインターホンＳＷ９ｂが押されないと、遅延時間である第１の所定時間Ｔ１が経過後（時刻ｔ６）に、送話方向は元の通常状態の浴室→台所に戻り、再び浴室モニター状態となり、台所で浴室の音声をモニターすることができる。そして、再び、風呂リモコン１ａのインターホンＳＷ９ａまたは給湯リモコン１ｂのインターホンＳＷ９ｂが第２の所定時間Ｔ２（例えば、０．５秒）以内で短押しされると（時刻ｔ７）、インターホン機能の動作を終了する。
【００５１】
尚、図１０に示すように、給湯リモコン１ｂのインターホンＳＷ９ｂから手が離れて押されない状態になった時（時刻ｔ５）から、第１の所定時間Ｔ１が経過後（時刻ｔ６）に、送話方向は元の通常状態の浴室→台所に戻るが、その後、第４の所定時間Ｔ４（例えば、１時間）内に、給湯リモコン１ｂのインターホンＳＷ９ｂが押されない場合には（時刻ｔ７）、インターホン機能の動作を終了する。これは、長時間給湯リモコン１ｂのインターホンＳＷ９ｂが押されない場合には、インターホン機能が使用されていないと判断できるので、インターホン機能を終了させるインターホン自動終了機能を実現するためである。
【００５２】
以上説明したように、上記第１の実施の形態では、給湯リモコン１ｂから風呂リモコン１ａへ送話中に、給湯リモコン１ｂのインターホンＳＷ９ｂから誤って手が離れてしまっても、直ちに送話方向が切り替わってしまうことがなく、第１の所定時間Ｔ１内に、再度給湯リモコン１ｂのインターホンＳＷ９ｂを押せば、送話方向は、給湯リモコン１ｂから風呂リモコン１ａへ維持されたままとなる。従って、台所から浴室への送話中に、給湯リモコン１ｂのインターホンＳＷ９ｂから誤って手が離れてしまっても、直ちにインターホンＳＷ９ｂを押し直せば、送話が途切れることを防止できる。
【００５３】
また、給湯リモコン１ｂのインターホンＳＷ９ｂから手を離して、第１の所定時間Ｔ１が経過すれば、送話方向は、風呂から台所方向へと切り替わるので、インターホン作動中は、台所にいても浴室の音を聞くことができ、入浴中の様子が把握し易くなり、浴室での事故に迅速に対応できる。また、入浴者が浴室外の人に話し掛けたい時には、風呂リモコン１ａを操作することなくハンズフリーで送話でき非常に使い易い。
【００５４】
さらに、浴室モニター状態で、給湯リモコン１ｂのインターホンＳＷ９ｂが長時間（第４の所定時間Ｔ４）操作されない場合には、自動的にインターホン機能を終了させることができる。従って、終了操作を忘れてもインターホン機能の動作電力を浪費しなくなり省エネとなる。
【００５５】
尚、上記第１の実施の形態では、メインコントローラ６１が本発明の構成の「給湯器の制御装置」に相当し、インターホンＳＷ９ａ，ＳＷ９ｂが、本発明の構成の「作動スイッチ」に相当し、インターホンＳＷ９ｂが、本発明の構成の「給湯送話スイッチ」に相当し、マイコン７２が本発明の構成の「通話制御手段」に相当し、図７のフローチャートのＳ１の判断ステップを実行するマイコン７２が本発明の構成の「作動スイッチ押下判断手段」に相当し、図７のフローチャートのＳ９の判断ステップを実行するマイコン７２が本発明の構成の「給湯送話スイッチ押下判断手段」に相当し、図７のフローチャートのＳ３，Ｓ７の処理ステップを実行するマイコン７２が本発明の構成の「第１の通話方向制御手段」に相当し、図７のフローチャートのＳ１３の処理ステップを実行するマイコン７２が本発明の構成の「第２の通話方向制御手段」に相当し、図７のフローチャートのＳ２１の判断ステップを実行するマイコン７２が本発明の構成の「通話維持手段」に相当する。
【００５６】
尚、本発明は、上記実施の形態に何等限定されるものではなく、本発明の要旨を逸脱しない範囲において、種々なる態様で実施し得ることは勿論である。
【００５７】
例えば、上記第１の実施の形態では、第１の所定時間Ｔ１を「３秒間」としたが、必ずしも「３秒間」に限られず、「１秒間」、「２秒間」等の任意の時間としてもよい。また、第４の所定時間Ｔ４を「１時間」としたが、必ずしも「１時間」に限られず、「２０分間」、「３０分間」等の任意の時間としてもよい。また、第２の所定時間Ｔ２を「０．５秒間」としたが、必ずしも「０．５秒間」に限られず、「短押し」の識別に適した任意の時間に調整すればよい。
【００５８】
また、インターホンＳＷ９ａ，ＳＷ９ｂ等の各スイッチは、押すと内部で接点が接触するタイプのものに限られず、静電スイッチ等のタッチ式のものでもよい。
【００５９】
また、インターホン自動終了機能を持たせなくてもよい。つまり、インターホン機能の終了する時には、インターホンＳＷ９を押すと終了する制御処理にしてもよい。
【００６０】
また、上記の実施の形態では、インターホン機能の作動の開始・終了を指示する作動スイッチと、給湯リモコンから風呂リモコンへ音声の伝達を指示する給湯送話スイッチとを、給湯リモコン１ｂのインターホンＳＷ９ｂにより兼任させているが、給湯リモコン１ｂのインターホンＳＷ９ｂは、インターホン機能の作動の開始・終了を指示する作動スイッチの機能を果たし、別に、トークスイッチを給湯リモコン１ｂに設け、トークスイッチを給湯リモコンから当該風呂リモコンへ音声の伝達を指示する給湯送話スイッチとして機能させ、トークスイッチを押している間は台所送話を行い、トークスイッチを離すと、台所送話を終了して浴室モニターに切り替えるようにしてもよい。
【００６１】
さらに、給湯リモコン１ｂを台所以外の場所にも複数設けてもよく、送話方向の表示パターンを給湯リモコン１ｂ毎に変えてもよいし、または同じにしてもよい。また、インターホンＳＷ９に送話方向を表示しなくてもよい。
【００６２】
また、送話方向を示すランプの点滅は、点滅周期の切替や点滅パターンの切替（例えば、パッ、パッと点滅する第１の点滅／パパッ、パパッと点滅する第２の点滅の切替）としてもよい。さらに、一つのランプで２色（例えば緑と赤）光る発光ダイオードを備えて点灯色の切替により送話方向を表示してもよい。また、送話可能リモコン１と表示パターンとを対応させるのではなく、送話方向と各リモコン１の表示とを対応させて、浴室モニター時は風呂リモコン１ａ，給湯リモコン１ｂのどちらのリモコン１も点灯し、台所送話時はどちらのリモコン１も点滅するものであってもよい。また、点灯／点滅切替に代えて、点滅周期の切替や点滅パターンの切替や点灯色の切替により送話方向を表示してもよい。
【００６３】
［第２の実施の形態］以下、本発明の第２の実施の形態について、図面を参照して説明する。第２の実施の形態の風呂リモコン、給湯リモコン、メインコントローラの機械的構成及び電気的構成は、上記の第１の実施の形態の風呂リモコン１ａ、給湯リモコン１ｂ及びメインコントローラ６１と同一であるので、これらの機械的構成及び電気的構成の説明は省略し、第２の実施の形態の制御について、上記第１の実施の形態で説明した風呂リモコン１ａ、給湯リモコン１ｂ及びメインコントローラ６１の構成を援用して説明する。
【００６４】
本第２の実施の形態の各リモコン１でも、インターホン機能を利用する場合に、インターホンＳＷ９を押してマイク７に向かって話すと、マイク７からの音声信号が変調回路５で音声キャリアに変調されて他のリモコン１へ送信される。受話の場合には、送られてきた音声キャリアを復調回路６で音声信号に復調し、スピーカーアンプ１３で増幅してスピーカー１４から音声として出力される。
【００６５】
風呂リモコン１ａのインターホンＳＷ９ａ及び給湯リモコン１ｂのインターホンＳＷ９ｂは、押し操作によりインターホン機能の作動開始を指示し、ダブルクリックの操作によりインターホン機能の作動を停止するもので、送話方向の表示も行う。
【００６６】
次に、第２の実施の形態のメインコントローラ６１が行うインターホン通話制御処理について図１１に示すフローチャートを参照して説明する。図１１は、第２の実施の形態のメインコントローラ６１のマイコン７２のＣＰＵ７２ａが実行するインターホン通話制御ルーチンのフローチャートである。
【００６７】
先ず、給湯器付風呂釜６０に電源が供給されると、図１１に示すインターホン通話制御ルーチンが起動し、風呂リモコン１ａのインターホンＳＷ９ａまたは給湯リモコン１ｂのインターホンＳＷ９ｂが押されてオン状態か否かを判断する（Ｓ１０１）。尚、給湯リモコン１ｂが複数設けられている場合には、メインコントローラ６１がその複数の給湯リモコン１ｂを順次ポーリングして、インターホンＳＷ９ｂの状態の信号を得るようになっている。インターホンＳＷ９ａ又はインターホンＳＷ９ｂが押されてオン状態でない場合には（Ｓ１０１：ＮＯ）、インターホンＳＷ９ａ又はインターホンＳＷ９ｂが押されてオン状態か否かの判断が繰り返し実施される（Ｓ１０１）。また、インターホンＳＷ９ａ又はインターホンＳＷ９ｂが押されてオン状態の場合には（Ｓ１０１：ＹＥＳ）、インターホン機能が動作開始され（Ｓ１０３）、給湯リモコン１ｂのインターホンＳＷ９ｂが押されていない時間を計測するための無操作時間タイマＴａをリセットし、給湯リモコン１ｂのインターホンＳＷ９ｂが押されていない時間の計測をスタートする（Ｓ１０５）。
【００６８】
次いで、送話方向（音声伝達方向）を風呂リモコン１ａから給湯リモコン１ｂとして、風呂から台所への送話を可能にする（Ｓ１０７）。即ち、インターホン機能が開始された場合には、最初に送話方向を風呂リモコン１ａから給湯リモコン１ｂにして台所で浴室の状況をモニターできる状態にする。次に、給湯リモコン１ｂのインターホンＳＷ９ｂが押されてオン状態か否かを判断する（Ｓ１０９）。給湯リモコン１ｂのインターホンＳＷ９ｂが押されてオン状態になった場合には（Ｓ１０９：ＹＥＳ）、無操作時間タイマＴａをリセットし、スタートすると共に、給湯リモコン１ｂのインターホンＳＷ９ｂが押されてからの時間を計測するための経過時間計測タイマＴｂをリセットし、給湯リモコン１ｂのインターホンＳＷ９ｂが押されてからの時間の計測をスタートする（Ｓ１１１）。
【００６９】
次いで、送話方向（音声伝達方向）を給湯リモコン１ｂから風呂リモコン１ａとして、給湯リモコン１ｂから風呂リモコン１ａへの送話を可能にする（Ｓ１１３）。即ち、台所から浴室へ送話のできる状態にして送話方向を設定する。次に、給湯リモコン１ｂのインターホンＳＷ９ｂがまだ押されていて、オン状態か否かを判断する（Ｓ１１５）。オン状態（押されている）と判断した場合には（Ｓ１１５：ＹＥＳ）、Ｓ１１５に戻り、給湯リモコン１ｂのインターホンＳＷ９ｂの状態変化が監視しされ続ける（Ｓ１１５）。
【００７０】
一方、オフ状態（押されていない）と判断した場合には（Ｓ１１５：ＮＯ）、給湯リモコン１ｂのインターホンＳＷ９ｂが押されてからの時間を計測するための経過時間計測タイマＴｂが第５の所定時間Ｔ５（例えば、０．５秒）未満か否かを判断する（Ｓ１１７）。経過時間計測タイマＴｂの計測時間が第５の所定時間Ｔ５未満の場合には（Ｓ１１７：ＹＥＳ）、給湯リモコン１ｂのインターホンＳＷ９ｂに対して短時間押された所謂「短押し」がなされたので、続いて、給湯リモコン１ｂのインターホンＳＷ９ｂが再度押される所謂「ダブルクリック」がなされたか否かを判断する（Ｓ１１９）。給湯リモコン１ｂのインターホンＳＷ９ｂがダブルクリックされた場合には（Ｓ１１９：ＹＥＳ）、使用者がインターホン機能の終了を指示しているので、インターホン機能を停止する（Ｓ１３５）。その後、Ｓ１に戻り上記の処理を繰り返す。
【００７１】
また、給湯リモコン１ｂのインターホンＳＷ９ｂがダブルクリックされなかった場合（Ｓ１１９：ＮＯ）及びＳ１１７の判断処理で経過時間計測タイマＴｂの計測時間が第５の所定時間Ｔ５以上と判断された場合には（Ｓ１１７：ＮＯ）、給湯リモコン１ｂのインターホンＳＷ９ｂが押されてから第３の所定時間Ｔ３（例えば、３０秒）が経過したか否かを判断する（Ｓ１２１）。具体的には、経過時間計測タイマＴｂの計測時間が、第３の所定時間Ｔ３（例えば、３０秒）を越えたか否かを判断する（Ｓ１２１）。経過時間計測タイマＴｂの計測時間が、第３の所定時間Ｔ３（例えば、３０秒）を越えた場合に（Ｓ１２１：ＹＥＳ）、給湯リモコン１ｂのインターホンＳＷ９ｂが押されていない場合には（Ｓ１２３：ＮＯ）、Ｓ１０５の処理に戻って、無操作時間タイマＴａをリセットし、給湯リモコン１ｂのインターホンＳＷ９ｂが押されていない時間の計測をスタートする（Ｓ１０５）。次いで、送話方向（音声伝達方向）を風呂リモコン１ａから給湯リモコン１ｂとして、風呂から台所への送話を可能にする（Ｓ１０７）。
【００７２】
また、経過時間計測タイマＴｂの計測時間が、第３の所定時間Ｔ３（例えば、３０秒）を越えた場合に（Ｓ１２１：ＹＥＳ）、給湯リモコン１ｂのインターホンＳＷ９ｂが押されている場合には（Ｓ１２３：ＹＥＳ）、Ｓ１２３に戻って、給湯リモコン１ｂのインターホンＳＷ９ｂの状態変化が監視される。
【００７３】
さらに、経過時間計測タイマＴｂの計測時間が、第３の所定時間Ｔ３（例えば、３０秒）未満の場合に（Ｓ１２１：ＮＯ）、風呂リモコン１ａのインターホンＳＷ９ａが押された場合には（Ｓ１２５：ＹＥＳ）、続いて、風呂リモコン１ａのインターホンＳＷ９ａが再度押される「ダブルクリック」がなされたか否かを判断する（Ｓ１２７）。風呂リモコン１ａのインターホンＳＷ９ａがダブルクリックされた場合には（Ｓ１２７：ＹＥＳ）、使用者がインターホン機能の終了を指示しているので、インターホン機能を停止する（Ｓ１３５）。その後、Ｓ１に戻り上記の処理を繰り返す。また、風呂リモコン１ａのインターホンＳＷ９ａがダブルクリックされなかった場合には（Ｓ１２７：ＮＯ）、Ｓ１０５へ戻り、無操作時間タイマＴａをリセットし、計測をスタートして（Ｓ１０５）、送話方向（音声伝達方向）を風呂リモコン１ａから給湯リモコン１ｂとする（Ｓ１０７）。また、経過時間計測タイマＴｂの計測時間が、第３の所定時間Ｔ３（例えば、３０秒）未満の場合に（Ｓ１２１：ＮＯ）、風呂リモコン１ａのインターホンＳＷ９ａが押されない場合には（Ｓ１２５：ＮＯ）、Ｓ１２１に戻って、また、経過時間計測タイマＴｂの計測時間が、第３の所定時間Ｔ３（例えば、３０秒）を経過するまで待機する。
【００７４】
即ち、給湯リモコン１ｂのインターホンＳＷ９ｂが押されてから第３の所定時間Ｔ３（例えば、３０秒）が経過するときに、給湯リモコン１ｂが押し続けられていなければ、給湯リモコン１ｂから風呂リモコン１ａへの送話が終了して、送話方向が風呂リモコン１ａから給湯リモコン１ｂへと切り替わり、台所で浴室の状況をモニターできる状態になる。従って、給湯リモコン１ｂのインターホンＳＷ９ｂが押されてから第３の所定時間Ｔ３（例えば、３０秒）が経過するまでは、送話方向は、給湯リモコン１ｂから風呂リモコン１ａに維持されることになる。従って、給湯リモコン１ｂのインターホンＳＷ９ｂを一度押せば、当該インターホンＳＷ９ｂから手を離しても第３の所定時間Ｔ３（例えば、３０秒）が終了するまでは、台所から風呂へ送話することが可能なる。但し、その間に風呂リモコン１ａのインターホンＳＷ９ａがダブルクリックされると、インターホン機能は停止することになる。
【００７５】
また、インターホン機能が開始され、送話方向が風呂リモコン１ａから給湯リモコン１ｂになった場合に（Ｓ１０７）、給湯リモコン１ｂのインターホンＳＷ９ｂが押されない状態で（Ｓ１０９：ＮＯ）、無操作時間タイマＴａの計測時間が第４の所定時間Ｔ４（例えば、１時間）以上になった場合には（Ｓ１２９：ＹＥＳ）、インターホン機能が使用されていないと判断されるので、インターホン機能を停止する（Ｓ１３５）。その後、Ｓ１０１に戻り上記の処理を繰り返す。
【００７６】
また、インターホン機能が開始され、送話方向が風呂リモコン１ａから給湯リモコン１ｂになった場合に（Ｓ１０７）、給湯リモコン１ｂのインターホンＳＷ９ｂが押されない状態で（Ｓ１０９：ＮＯ）、無操作時間タイマＴａの計測時間が第４の所定時間Ｔ４（例えば、１時間）未満の場合に（Ｓ１２９：ＮＯ）、風呂リモコン１ａのインターホンＳＷ９ａが押され（Ｓ１３１：ＹＥＳ）、風呂リモコン１ａのインターホンＳＷ９ａがダブルクリックされた場合には（Ｓ１３３：ＹＥＳ）、使用者がインターホン機能の終了を指示しているので、インターホン機能を停止する（Ｓ１３５）。その後、Ｓ１０１に戻り上記の処理を繰り返す。また、無操作時間タイマＴａの計測時間が第４の所定時間Ｔ４（例えば、１時間）未満の場合に（Ｓ１２９：ＮＯ）、風呂リモコン１ａのインターホンＳＷ９ａが押されたが（Ｓ１３１：ＹＥＳ）、風呂リモコン１ａのインターホンＳＷ９ａがダブルクリックされない場合には（Ｓ１３３：ＮＯ）、Ｓ１０９の判断処理に戻る。以下、上記処理を繰り返す。また、無操作時間タイマＴａの計測時間が第４の所定時間Ｔ４（例えば、１時間）未満の場合に（Ｓ１２９：ＮＯ）、風呂リモコン１ａのインターホンＳＷ９ａが押されなかった場合には（Ｓ１３１：ＮＯ）、Ｓ１０９の判断処理に戻る。
【００７７】
次に、上記の風呂リモコン１ａ及び給湯リモコン１ｂ間のインターホン機能の通話制御動作の例について、図１２乃至図１４に示すインターホン機能の動作を表すタイミングチャートを参照して説明する。但し、図中ではインターホンＳＷの押し時間等の時間は、見易いようにデフォルメされていて実際の時間と比例していない。
【００７８】
まず、図１２に示すように、風呂リモコン１ａのインターホンＳＷ９ａまたは給湯リモコン１ｂのインターホンＳＷ９ｂが押されると（時刻ｔ１）、インターホン機能が作動し、送話方向が浴室→台所（風呂リモコン１ａ→給湯リモコン１ｂ）になる。従って、入浴者が台所にいる人に無操作でいつでも話し掛けることができると共に、台所にいる人が浴室の音を常時聞けるようにして浴室の音声をモニターすることができる。以下、この状態を浴室モニターと呼ぶ。この浴室モニターの作動中に、給湯リモコン１ｂのインターホンＳＷ９ｂが押されると（時刻ｔ２）は、第３の所定時間Ｔ３（例えば、３０秒）間、送話方向を台所→浴室にし、台所にいる人が入浴者に、話し掛けることができる。以下、この状態を台所送話と呼ぶ。従って、給湯リモコン１ｂのインターホンＳＷ９ｂを一旦押せば、押し続けなくても、第３の所定時間Ｔ３（例えば、３０秒）間は、台所送話ができる。従って、台所送話時に、給湯リモコン１ｂのインターホンＳＷ９ｂを押し続ける必要が無く、余分な操作が不要で、給湯リモコン１ｂのインターホンＳＷ９ｂから手が離れて、通話が遮断される等の不快感も無くなる。
【００７９】
そして、給湯リモコン１ｂのインターホンＳＷ９ｂが押された（時刻ｔ２）後に、第３の所定時間Ｔ３（例えば、３０秒）が経過すると（時刻ｔ３）、送話方向は元の通常状態の浴室→台所に戻り、浴室モニター状態となり再び台所で浴室の音声をモニターすることができる。従って、給湯リモコン１ｂのインターホンＳＷ９ｂが押されてから、第３の所定時間Ｔ３（例えば、３０秒）が経過すると自動的に浴室モニター状態に戻るので、何ら煩雑な操作をしなくてもよい。そして、風呂リモコン１ａのインターホンＳＷ９ａまたは給湯リモコン１ｂのインターホンＳＷ９ｂに対して、続けて２回押されるダブルクリックがなされると（時刻ｔ４，ｔ５）、インターホン機能の動作を終了する。
【００８０】
また、本実施の形態のインターホン機能では、図１３に示すように、風呂リモコン１ａのインターホンＳＷ９ａまたは給湯リモコン１ｂのインターホンＳＷ９ｂが押されると（時刻ｔ１）、インターホン機能が作動し、送話方向が浴室→台所（風呂リモコン１ａ→給湯リモコン１ｂ）になる。その後、給湯リモコン１ｂのインターホンＳＷ９ｂが押されると（時刻ｔ２）、送話方向が台所→浴室（給湯リモコン１ｂ→風呂リモコン１ａ）になり、第３の所定時間Ｔ３（例えば、３０秒）内は、台所送話が維持されるが、その第３の所定時間Ｔ３（例えば、３０秒）中に、給湯リモコン１ｂのインターホンＳＷ９ｂに対して、続けて２回押されるダブルクリックがなされると（時刻ｔ３，ｔ４）、インターホン機能の動作を終了する。従って、第３の所定時間Ｔ３（例えば、３０秒）内であっても、インターホン機能を停止できる。
【００８１】
さらに、本実施の形態のインターホン機能では、図１４に示すように、風呂リモコン１ａのインターホンＳＷ９ａまたは給湯リモコン１ｂのインターホンＳＷ９ｂが押されると（時刻ｔ１）、インターホン機能が作動し、送話方向が浴室→台所（風呂リモコン１ａ→給湯リモコン１ｂ）になる。その後、給湯リモコン１ｂのインターホンＳＷ９ｂが押され（時刻ｔ２）、送話方向が台所→浴室（給湯リモコン１ｂ→風呂リモコン１ａ）になり、第３の所定時間Ｔ３（例えば、３０秒）内は、台所送話が維持される。第３の所定時間Ｔ３（例えば、３０秒）経過時（時刻ｔ４）に、給湯リモコン１ｂのインターホンＳＷ９ｂが押されていた場合には、台所送話が維持され、給湯リモコン１ｂのインターホンＳＷ９ｂから手が離されたとき（時刻ｔ５）に、送話方向は元の通常状態の浴室→台所に戻り、浴室モニター状態となり再び台所で浴室の音声をモニターすることができるようになる。従って、台所送話時間が第３の所定時間Ｔ３（例えば、３０秒）内では、足りない場合には、インターホンＳＷ９ｂを押していれば、第３の所定時間Ｔ３を越えて台所送話を継続できる。
【００８２】
また、図１４に示すように、送話方向が通常状態の浴室→台所（浴室モニター）に戻ってから、第４の所定時間Ｔ４（例えば、１時間）経過までに、給湯リモコン１ｂのインターホンＳＷ９ｂが押されない場合には（時刻ｔ６）、インターホン機能の動作を終了する。これは、長時間給湯リモコン１ｂのインターホンＳＷ９ｂが押されない場合には、インターホン機能が使用されていないと判断できるので、インターホン機能を終了させるインターホン自動終了機能を実現するためである。
【００８３】
以上説明したように、上記第２の実施の形態では、インターホン機能の作動中に、給湯リモコン１ｂのインターホンＳＷ９ｂを一度「短押し」すれば、当該インターホンＳＷ９ｂから手を離しても、第３の所定時間Ｔ３（例えば、３０秒）間は、台所送話できるので、インターホンＳＷ９ｂを押し続ける等の余分な操作が不要になる。
【００８４】
また、給湯リモコン１ｂのインターホンＳＷ９ｂを押してから、第３の所定時間Ｔ３（例えば、３０秒）が経過すれば、送話方向は、風呂から台所方向へと切り替わるので、インターホン作動中は、台所にいても浴室の音を聞くことができ、入浴中の様子が把握し易くなり、浴室での事故に迅速に対応できる。また、入浴者が浴室外の人に話し掛けたい時には、風呂リモコン１ａを操作することなくハンズフリーで送話でき非常に使い易い。
【００８５】
さらに、浴室モニター状態で、給湯リモコン１ｂのインターホンＳＷ９ｂが長時間（第４所定時間Ｔ４）操作されない場合には、自動的にインターホン機能を終了させることができる。従って、終了操作を忘れてもインターホン機能の動作電力を浪費しなくなり省エネとなる。
【００８６】
尚、上記第２の実施の形態では、メインコントローラ６１が本発明の構成の「給湯器の制御装置」に相当し、インターホンＳＷ９ａ，ＳＷ９ｂが、本発明の構成の「作動スイッチ」に相当し、インターホンＳＷ９ｂが、本発明の構成の「給湯送話スイッチ」に相当し、マイコン７２が本発明の構成の「通話制御手段」に相当し、図１１のフローチャートのＳ１０１の判断ステップを実行するマイコン７２が本発明の構成の「作動スイッチ押下判断手段」に相当し、図１１のフローチャートのＳ１０９の判断ステップを実行するマイコン７２が本発明の構成の「給湯送話スイッチ押下判断手段」に相当し、図１１のフローチャートのＳ１０３，Ｓ１０７の処理ステップを実行するマイコン７２が本発明の構成の「第３の通話方向制御手段」に相当し、図１１のフローチャートのＳ１１３，Ｓ１１５，Ｓ１１７，Ｓ１２１，Ｓ１２３の処理ステップを実行するマイコン７２が本発明の構成の「第４の通話方向制御手段」に相当する。
【００８７】
尚、本発明は、上記の実施の形態に何等限定されるものではなく、本発明の要旨を逸脱しない範囲において、種々なる態様で実施し得ることは勿論である。
【００８８】
例えば、上記の第２の実施の形態では、第３の所定時間Ｔ３を「３０秒間」としたが、必ずしも「３０秒間」に限られず、「２０秒間」、「１分間」等の任意の時間としてもよい。また、第４の所定時間Ｔ４を「１時間」としたが、必ずしも「１時間」に限られず、「２０分間」、「３０分間」等の任意の時間としてもよい。また、第５の所定時間Ｔ５を「０．５秒間」としたが、必ずしも「０．５秒間」に限られず、「ダブルクリック」の識別に適した任意の時間に調整すればよい。
【発明の効果】
以上、詳述したように、請求項１に係る発明の給湯器の制御装置では、浴室内に設けられた風呂リモコンの作動スイッチ又は浴室外に設けられた給湯リモコンの作動スイッチが操作されると、通話制御手段は、インターホン機能を作動させ、風呂リモコンから給湯リモコンへ音声を伝達可能になり、浴室の音声を給湯リモコン側でモニターすることができる。また、この状態で、給湯送話スイッチを押すと、送話方向が切り替わり給湯リモコンから風呂リモコンへ音声を伝達可能になり、給湯送話スイッチを押し続けている間は、その状態が維持されている。そして、給湯送話スイッチを離した後の第１の所定時間内も、給湯リモコンから風呂リモコンへ音声が伝達可能な状態が維持されるので、誤って給湯送話スイッチから手を離してしまっても、第１の所定時間内に給湯送話スイッチを押し直せば、給湯リモコンから風呂リモコンへの音声の伝達が途絶えることを防止できる。従って、誤って給湯送話スイッチから手を離してしまっても、直ちに押し直せば、送話が途絶えずに自然な会話を行うことができる。
【００８９】
また、請求項２に記載の発明の給湯器の制御装置では、請求項１に記載の発明の効果に加えて、作動スイッチ押下判断手段が作動スイッチが押下されたと判断した場合に、第１の通話方向制御手段は、インターホン機能を動作させると共に風呂リモコンから給湯リモコンへ音声を伝達可能とする。第１の通話方向制御手段の制御により、風呂リモコンから給湯リモコンへ音声を伝達可能なインターホン機能が動作中に、給湯送話スイッチ押下判断手段が給湯送話スイッチが押下されていると判断した場合には、第２の通話方向制御手段は、当該給湯リモコンから風呂リモコンへ音声を伝達可能に音声伝達方向を切り替えることができる。通話維持手段は、給湯送話スイッチ押下判断手段が給湯送話スイッチが押下されている状態から給湯送話スイッチが押下されない状態になったと判断した場合にも、第１の所定時間内は、当該給湯リモコンから前記風呂リモコンへ音声を伝達可能な状態に維持することができる。そして、通話維持手段が給湯リモコンから風呂リモコンへ音声を伝達可能な状態に維持している間に、給湯送話スイッチ押下判断手段が給湯送話スイッチが押下されていると判断した場合には、当該給湯リモコンから風呂リモコンへの音声の伝達状態を維持することができる。従って、誤って給湯送話スイッチから手を離してしまっても、第１の所定時間内に給湯送話スイッチを押し直せば、給湯リモコンから風呂リモコンへ音声の伝達が途絶えることがない。
【００９０】
また、請求項３に記載の発明の給湯器の制御装置では、請求項１又は２に記載の発明の効果に加えて、通話制御手段は、インターホン機能の作動中において、作動スイッチと兼用されている給湯送話スイッチが第２の所定時間より短い間隔で押し離し操作（短押し）がされた場合にはインターホン機能を終了することができる。従って、作動スイッチと給湯送話スイッチを１つのスイッチで兼用することができ、スイッチの数を減らすことができる。
【００９１】
請求項４に係る発明の給湯器の制御装置では、浴室内に設けられた風呂リモコンの作動スイッチ又は浴室外に設けられた給湯リモコンの作動スイッチが操作されると、通話制御手段は、インターホン機能を作動させ、風呂リモコンから給湯リモコンへ音声を伝達可能とできる。また、給湯送話スイッチを押すと、第３の所定時間内は、給湯リモコンから風呂リモコンへ音声が伝達可能になる。従って、給湯リモコンから風呂リモコンに送話中に、給湯リモコンの送話スイッチの押下状態を維持する必要が無い。また、第３の所定時間内は、何ら操作しなくても給湯リモコンから風呂リモコンへの送話を途切れさせることがない。
【００９２】
また、請求項５に記載の発明の給湯器の制御装置では、請求項４に記載の発明の効果に加えて、作動スイッチ押下判断手段が作動スイッチが押下されたと判断した場合に、第３の通話方向制御手段は、インターホン機能を動作させると共に風呂リモコンから給湯リモコンへ音声を伝達可能とする。第３の通話方向制御手段の制御により、風呂リモコンから給湯リモコンへ音声を伝達可能なインターホン機能が動作中に、給湯送話スイッチ押下判断手段が給湯送話スイッチが押下されていると判断した場合には、第４の通話方向制御手段は、前記第３の所定時間内は、給湯リモコンから風呂リモコンへ音声を伝達可能に音声伝達方向を切り替えることができる。従って、給湯リモコンから風呂リモコンに送話中に、給湯リモコンの送話スイッチの押下状態を維持する必要が無い。また、第３の所定時間内は、何ら操作しなくても給湯リモコンから風呂リモコンへの送話が維持されるので、送話を途切れさせることがない。
【００９３】
また、請求項６に記載の発明の給湯器の制御装置では、請求項４又は５に記載の発明の効果に加えて、通話制御手段は、インターホン機能の作動中において、作動スイッチと兼用されている給湯送話スイッチに押し離し操作が繰り返された場合には前記インターホン機能を終了することができる。従って、給湯送話スイッチをダブルクリックすれば、インターホン機能を終了させることができる。また、作動スイッチと給湯送話スイッチを１つのスイッチで兼用することができ、スイッチの数を減らすことができる。
【００９４】
また、請求項７に記載の発明の給湯器の制御装置は、請求項１乃至６の何れかに記載の発明の効果に加えて、通話制御手段は、給湯送話スイッチが操作されない状態が第４の所定時間経過した（長時間操作されずに放置された）場合にはインターホン機能を自動的に終了することができる。従って、終了操作を忘れてもインターホン機能の動作電力を浪費しなくり省エネとなる。
【図面の簡単な説明】
【図１】図１は、給湯器の制御装置であるメインコントローラ６１を含む給湯器付風呂釜６０のシステムを示すブロック図である。
【図２】図２は、音声機能を構成する部分のブロック図である。
【図３】図３は、メインコントローラ６１の電気的構成を示すブロック図である。
【図４】図４は、給湯リモコン１ｂの電気的構成を示すブロック図である。
【図５】図５は、風呂リモコン１ａの正面図である。
【図６】図６は、給湯リモコン１ｂの正面図である。
【図７】図７は、第１の実施の形態のメインコントローラ６１のマイコン７２のＣＰＵ７２ａが実行するインターホン通話制御ルーチンのフローチャートである。
【図８】図８は、第１の実施の形態のインターホン機能の動作を表すタイミングチャートである。
【図９】図９は、第１の実施の形態のインターホン機能の動作を表すタイミングチャートである。
【図１０】図１０は、第１の実施の形態のインターホン機能の動作を表すタイミングチャートである。
【図１１】図１１は、第２の実施の形態のメインコントローラ６１のマイコン７２のＣＰＵ７２ａが実行するインターホン通話制御ルーチンのフローチャートである。
【図１２】図１２は、第２の実施の形態のインターホン機能の動作を表すタイミングチャートである。
【図１３】図１３は、第２の実施の形態のインターホン機能の動作を表すタイミングチャートである。
【図１４】図１４は、第２の実施の形態のインターホン機能の動作を表すタイミングチャートである。
【図１５】図１５は、従来のインターホン機能の動作を表すタイミングチャートである。
【図１６】図１６は、従来のインターホン機能の動作を表すタイミングチャートである。
【符号の説明】
１ａ  風呂リモコン
１ｂ  給湯リモコン
３  マイコン
５  インターホン送信回路
５ａ，５ｂ  変調回路
６ａ，６ｂ  復調回路
７ａ，７ｂ  マイク
９ａ，９ｂ  インターホンＳＷ
１７ａ，１７ｂ  マイクアンプ
６０  給湯器付風呂釜
６１  メインコントローラ
６２  給湯回路
６３  追焚回路
７２  マイコン
７３  インターフェース回路
７５  給湯制御回路
７６  追焚制御回路
【図１】
2004301399.tif 000003
【図２】
2004301399.tif 000004
【図３】
2004301399.tif 000005
【図４】
2004301399.tif 000006
【図５】
2004301399.tif 000007
【図６】
2004301399.tif 000008
【図７】
2004301399.tif 000009
【図８】
2004301399.tif 000010
【図９】
2004301399.tif 000011
【図１０】
2004301399.tif 000012
【図１１】
2004301399.tif 000013
【図１２】
2004301399.tif 000014
【図１３】
2004301399.tif 000015
【図１４】
2004301399.tif 000016
【図１５】
2004301399.tif 000017
【図１６】
2004301399.tif 000018